(57)【要約】【課題】人手による補助的な洗浄作業を容易とするとともに、炊飯後の米の取出しを容易とすることで、火傷等の危険性を大きく低減することのでき、容易に衛生的な状態を保つことができる優れた自動洗米炊飯器を提供することを、課題とするものである。【解決手段】水道供給口（５）、電源用プラグ（７）を設けた炊飯ボックス（１）の上面に蓋（２）を有する釜体（３）を配設するとともに、炊飯ボックス（１）内部には、炊飯手段と、給水手段及び排水手段とを備えた自動洗米炊飯器において、炊飯ボックス（１）には、電力を動力源とする釜体（３）の回転機構を備えたことを特徴とする自動洗米炊飯器を、解決手段とする。【選択図】図２
2005058339.tif 000002
【特許請求の範囲】
【請求項１】
水道供給口（５）、電源用プラグ（７）を設けた炊飯ボックス（１）の上面に、蓋（２）を有する釜体（３）を配設するとともに、炊飯ボックス（１）内部には、釜体（３）に対する加熱手段と、給水手段と、排水手段とを備えた自動洗米炊飯器において、
釜体（３）の外側に当該釜体（３）を固定支持する円筒状の釜掛け（７６）を設け、
該釜掛け（７６）が、モータ（７２）と連動して、釜体（３）の縦中心軸を基準として、釜体（３）とともに回動可能としたことを特徴とする自動洗米炊飯器。
【請求項２】
釜体（３）は釜体基体（３９ａ）と該釜体基体（３９ａ）の外側面全周囲にわたって形成される鍔部（３９ｂ）とからなり、
釜掛け（７６）は、下端側外側面全周に鍔状レール（７０）を突出して設け、該鍔状レール（７０）の上側には回転歯車（７９）を形成するとともに、鍔状レール（７０）の下側には断面山形のガイドレール（７７）を形成し、
更に、釜体（３）の下方には円板状のガス台（７８）を設け、ガス台（７８）上には、ガス供給口（６）と連結した炊飯用のガスバーナ（３２）及び点火装置（３３）を設けるとともに、ガス台（７８）上であって前記ガイドレール（７７）の下方位置に、軸（７５ｃ）を支持部（７５ａ）で支持した回転駒（７５）を配置し、
また釜掛け（７６）の内側には、釜掛けのブレを防止する釜掛けガイド体（７１）を立設し、
前記ガス台（７８）上に設けたモータ（７２）の軸に動力伝達媒体である歯車（７３）を直結し、該歯車（７３）と、前記鍔状レール（７０）の上側に形成された回転歯車（７９）とを噛合させるとともに、前記ガイドレール（７７）を回転駒（７５）に当接させ、
前記釜体（３）の鍔部（３９ｂ）を釜掛け（７６）の上端に掛止したことを特徴とする請求項１記載の自動洗米炊飯器。
【請求項３】
釜体（３）は、底部中央に底中央穴（３０）を穿設し、該底中央穴（３０）と連通する釜下管（３１）を、釜体（３）の裏面に固着した構成とし、
ガス台（７８）は、釜下管（３１）を下方へ逃すための中央穴（３７）を形成し、
前記釜下管（３１）に対して、相互に着脱可能な上内装管（４１）と下内装管（４２）とからなる内装管（４０）を嵌合し、
前記上内装管（４１）は、更に、上内装管基体（４１ａ）と上内装環副体（４１ｂ）とからなるものとし、
前記上内装管基体（４１ａ）は、中空円柱状の側壁面を金属製網からなる上網目部（４３）で構成するとともに、下端中央から下方へ管状の上排水管（３４ｂ）を延設するとともに、上排水管（３４ｂ）における排水路（３４ａ）と上内装管（４１）の内部空間とを連通し、上排水管（３４ｂ）の側壁面の一部に金属製網からなる第一下網目部（６４ａ）を設けた構成とし、前記上排水管（３４ｂ）の下端には折線形状のスリットとなる係止用ガイド部（４４）を形成し、
前記上内装管副体（４１ｂ）は、環状の副体円板部（６３）と、該副体円板部（６３）の上面縁部において、円周条に複数配列される排水ブロック（６７）とからなり、該排水ブロック（６７）は、金属網部材からなる第二下網目部（６４ｂ）を設けるとともに、排水用側面仕切壁（６７ａ）、及び排水用下面仕切壁（６７ｂ）によって、後記排水路（３４ａ）から外側面へ通じる開口部を形成し、更に開口部には、第二下網目部（６４ｂ）を設けたものとし、
前記下内装管（４２）は、内部に筒状の隔壁（４７）を形成し、該隔壁（４７）の内側を排水路（３４ａ）、外側を給水路（５０ａ）とする二重管構造とし、給水路（５０ａ）の上端には、下内装管（４２）の上板（４２ａ）の円周上に等間隔で配列され、外方に開口する給水ブロック（６６）を設け、該給水ブロック（６６）は、上板（４２ａ）に形成した給水孔を囲うように外方を除く三方向にわたって立設される給水用側面仕切壁（６６ａ）と、該給水用側面仕切壁（６６ａ）の上に跨る給水用上面仕切壁（６６ｂ）とによって外方に開口部を形成し、更に開口部には給水用網目部（６５）を設けたものとし、
上内装管における排水ブロック（６７）とした内装管（４０）における給水ブロック（６６）は、相互に噛合し、前記排水路（３４ａ）と、第一下網目部（６４ａ）と、第二下網目部（６４ｂ）とが連通する構成とし、
また、下内装管（４２）の長手方向中程において給水路（５０ａ）を外部給水管（５０）内へ連結するとともに、前記下内装管（４２）の排水路（３４ａ）を外部排水管（３４）へ連結する構成とし、
更に前記隔壁（４７）の内側に係止爪（４６）を突設して前記上排水管（３４ｂ）における係止用ガイド部（４４）と係脱可能とし、
前記内装管（４０）に連動し、且つ、下方に付勢される操作摘み（１２）を、上下動させることにより、内装管（４０）の上限位置で、釜体（３）内底面上に給水ブロック（６６）が露呈し、内装管（４０）の下限位置で、内装管（４０）の上面と釜体（３）内底面との高さが略一致する構成としたことを特徴とする請求項２記載の自動洗米炊飯器。
【発明の詳細な説明】
【技術分野】
【０００１】
本発明は、飲食店、給食センターなどで使用される、大型の釜を備え多量の米を炊飯できる自動炊飯器のうち、特に洗米機能を備えた自動洗米炊飯器に関するものである。
【背景技術】
【０００２】
従来、飲食店や給食センターなどで使用される、大型の釜を備え多量の米を炊飯できる自動炊飯器においては、洗米作業は、軽量した米を直接当該炊飯器に入れて洗うか、別の容器又は洗米機等で洗ったものを当該炊飯器に移し替えることによって、行なわれていた。
このため、炊飯器の釜で直接洗米する場合には、洗米のためのかき混ぜ作業や、洗浄水の入れ替え作業に多大の労力が必要となるばかりでなく、洗米後のお米を炊飯器に移し替えなければならず、手間と労力のかかるものであった。また、炊飯後の炊飯器の洗浄作業は炊飯用釜が大きいため、重労働であり、手間と労力のかかるものであった。
【０００３】
従来から生じていた上記欠点を解決すべく、本出願人は、水道供給口、ガス供給口、電源用プラグを設けた炊飯ボックスの上面に蓋を有する釜体を配設し、操作板には、洗米用タイマースイッチ、炊飯用水量タイマースイッチ、操作摘み、給水用スイッチ、排水用スイッチをそれぞれ配設し、操作摘みの作動により、これと連動する当杆を有するソレノイドを配設し、前記操作摘みの下方には摘み基部に作動軸が軸着されており、作動軸の上方には案内筒を取付け、下方を軸止で固定支持し、該作動軸に作動腕杆の一端を軸支し、その他端は給水管に軸着された作動係止部に接当させ、操作摘みの操作により作動腕杆が上下動する様に装着し、操作摘みと連動する摘み基部に押圧部を装着し、作動軸と給水管に軸架した作動腕杆は給水管の作動係止部と連動し、切替スイッチの操作により作動する押圧部を配設してなり、釜体の底中央孔に釜下管を配備し、釜下管の外周に前記ガス供給口と連結した炊飯用ガスバーナを配設し、該ガスバーナの近傍に点火装置を配し、釜下管の下端に排水横管を連設し、排水横管には排水電磁弁を介して受け部と連通した排水本管に連結してなり、前記釜下管の内部に装備する内装管には、外周壁に上網目部、中網目部、下網目部を設けて内装管を着脱自在に配設し、前記上網目部、中網目部、下網目部と連通する給水管ノズルを給水管の上端に着脱自在に取付け、該給水管の下方にシール筒を挿通し、給水管の下端付近に前記作動係止部を装着し、給水管の下端に給水電磁弁を介して給水ホースを連結し、該給水ホースの他端に給水管下端部を常に下方に引っ張られた状態に付勢するよう配備してなる自動洗米炊飯器を出願した（特許文献１参照。）。
【０００４】
【特許文献１】特開２００３−４３４号公報
【発明の開示】
【発明が解決しようとする課題】
【０００５】
上記特許文献１に係る発明は、炊飯器のみで洗米から炊飯までの給水、排水及び炊飯を自動的に行うことができ、洗米炊飯洗浄の各作業の場所をとらず、その作業の手間や労力を低減することができ、簡単に洗米、炊飯及び洗浄を行なうことができ、更に、内装管を上下に分割できるようにすることにより、炊飯後の釜の洗浄を簡単に行うことができ、手間や労力を低減できる点において非常に優れたものであった。
【０００６】
しかしながら、上記特許文献１に係る発明は、洗浄時に給水口から噴射される水の圧力のみで、釜体内を全て洗浄できないこともあり、この場合、多少補助的に手作業で洗浄を行なう必要があった。この作業は補助的な手作業であるものの、釜が大型であることから、作業者の体格によっては、洗浄箇所に手が届かなかったり、手が届いても十分な力で拭取り作業等ができないことがあり、洗浄作業も十分に行ないない場合もあった。
【０００７】
また、上記特許文献１に限ることなく、一般的に大型の自動炊飯器においては、炊飯後に炊き上がった米を取り出す際に、大型の釜が高温になっており、米の取出し作業中に、火傷を負う危険性があった。
【０００８】
本発明は以上の事情に鑑みてなされたものであり、人手による補助的な洗浄作業を容易とするとともに、炊飯後の米の取出しを容易とすることで、火傷等の危険性を大きく低減することのでき、容易に衛生的な状態を保つことができる優れた自動洗米炊飯器を提供することを、課題とするものである。
【課題を解決するための手段】
【０００９】
本発明は、水道供給口、電源用プラグを設けた炊飯ボックスの上面に、蓋を有する釜体を配設するとともに、炊飯ボックス内部には、釜体に対する加熱手段と、給水手段と、排水手段とを備えた自動洗米炊飯器において、釜体の外側に当該釜体を固定支持する円筒状の釜掛けを設け、該釜掛けが、モータと連動して、釜体の縦中心軸を基準として、釜体とともに回動可能としたことを特徴とする自動洗米炊飯器を、課題を解決するための手段とする。
【発明の効果】
【００１０】
本発明によれば、炊飯ボックスの外部に設けた釜体回転スイッチの作動により、前記釜体が縦軸中心に回転できることから、釜体が大型であるにもかかわらず、作業者が容易に釜の洗浄箇所を十分な力で拭取り作業することができる。
【００１１】
また、炊飯後に炊き上がった米を取り出す際には、大型の釜体が高温であっても、前記釜体をモータで回動させるだけで、作業者側に米を持ってくることができるから、米の取出し作業が容易となり、大型の釜体で火傷を負う危険性を大幅に低減させることができる。
【発明を実施するための最良の形態】
【００１２】
大型の釜体が縦軸中心に回動する釜体回転機構を備え、モータにより釜体を回動させることによって、作業安全性の高い自動洗米炊飯器を実現した。
【実施例】
【００１３】
（実施例に係る自動洗米炊飯器の構成）
図１は本発明の実施例に係る自動洗米炊飯器の外観図、図２は図１に係る自動洗米炊飯器の内部構造を示すＡ−Ａ断面図、図３は同実施例に係る自動洗米炊飯器の釜体回転機構の一部拡大説明図、図４は同実施例に係る自動洗米炊飯器の釜体回転機構を示す一部省略した平面図、図５は同実施例に係る自動洗米炊飯器の内装管を示す説明図、図６は同実施例に係る自動洗米炊飯器の内装管を示す斜視図、図７は本発明の実施例に係る自動洗米炊飯器において操作摘み、内装管の上昇状態を示す断面図である。
【００１４】
本発明の実施例に係る自動洗米炊飯器は、図１にその外観を示すように、炊飯ボックス１の上面中央に蓋２を有する釜体３を備えるとともに、該炊飯ボックス１の側面に水道供給口５、ガス供給口６、電源用プラグ７を備え、更に炊飯ボックス１の正面には、操作板８を備えた自動洗米炊飯器であり、前記操作板８は、該操作板８の中央部に縦孔１１に沿って移動可能な操作摘み１２を設け、その左側上方に洗米用タイマースイッチ９、左側下方に炊飯用水量タイマースイッチ１０を設け、また前記操作摘み１２の右側上方に給水用スイッチ１３、右側中程に排水用スイッチ１４、右側下方に釜体回転スイッチ１５を、夫々設けたものである。
【００１５】
次に、図２に、本発明の実施例に係る自動穿米炊飯器の内部構造として、図１のＡ−Ａ断面図を示す。先ず釜体３は釜体基体３９ａと該釜体基体３９ａの外側面全周囲にわたって形成される鍔部３９ｂとからなり、該釜体３の底部中央には、底中央穴３０を穿設し、該底中央穴３０と連通する釜下管３１を、釜体３の裏面に固着した構成である。
【００１６】
また、釜体３の外方には、釜体基体３９ａより径が大きく、鍔部３９ｂよりも径の小さい略円筒状の釜掛け７６が設けられている。当該釜掛け７６は、特に図３に部分拡大図として示すように、下端側外側面全周に鍔状レール７０を設け、該鍔状レール７０の上側には回転歯車７９を形成し、鍔状レール７０の下側には断面山形となるガイドレール７７を形成した構成である。
【００１７】
更に、図４に示すように、釜掛け７６の内側には、釜下管３１と、該釜下管を下方へ逃すための中央穴３７を形成した円盤状のガス台７８を設け、ガス台７８上には、ガス供給口６と連結した炊飯用のガスバーナ３２及び点火装置３３を設け、釜掛けのブレを防止する釜掛けガイド体（７１）を釜掛け７６に当接するように立設し、
また、ガス台７８上であって前記ガイドレール７７の下方となる円周状位置の四箇所に等間隔で、前記図３に示すように、軸７５ｃを支持部７５ａで支持した回転駒７５を配置しており、更に、前記ガス台７８上には支持台７２ａによって固定したモータ７２の軸に歯車７３を直結し、該歯車７３と、前記鍔状レール７０の上側に形成された回転歯車７９とを噛合させるとともに、前記ガイドレール７７が回転駒７５に当接する構成としている。回転駒７５は、中央を凹状としており、ガイドレール７７の山形の先端部が当該回転駒７５の中央に当接することで、ガイドレール７７の左右方向へのブレを防止している。
【００１８】
一方、前記図２に示すように、釜体３は、釜下管３１の下端部における内面側に、二重管構造の内装管４０を嵌合している。該内装管４０は、図６に示すように、相互に着脱可能な上内装管４１と下内装管４２とからなる。
前記上内装管４１は、図５にも示すように、上内装管基体４１ａと上内装環副体４１ｂとからなる。このうち、前記上内装管基体４１ａは、中空円柱状部材４８の側壁面を金属製網からなる上網目部４３として形成するとともに、該中空円柱状部材４８の下端中央から下方へ管状の上排水管３４ｂを延設するとともに、上排水管３４ｂにおける排水路３４ａと上内装管４１の内部空間とを連通した構成とし、更に排水管３１の側壁面の一部に金属製網からなる第一下網目部６４ａを設けている。
また、上内装管基体４１ａの下部に形成された上排水管３４ｂにおける外周上端近傍となる位置には、突起４９を形成するとともに、該上排水管３４ｂの下端には、内装管４０における後記係止爪４６に対応する係止用ガイド部４４が形成されている。
【００１９】
前記上内装管副体４１ｂは、図６の斜視図に示すように、環状の副体円板部６３と、該副体円板部６３の下面縁部の前後左右四箇所において、金属網部材からなる第二下網目部６４ｂを配設するとともに、前記第二下網目部６４ｂに当接するように排水用側面仕切壁６７ａ、及び排水用下面仕切壁６７ｂを設けることにより排水路３４ａから外側面へ通じる開口部を形成した排水ブロック６７とからなる構成としている。当該構成により、円周上に配置された隣り合う開口部間には、後記下内装管６４の給水用網目部６５が嵌入する噛合用空間が形成されることとなる。前記上内装環副体４１ｂの副体円板部６３における中央穴６８内周面において、周方向に回動用溝６１が形成されている。
【００２０】
上記上内装管基体４１ａの上排水管３４ｂが、環状の上内装管副体４１ｂの中央穴６８内に嵌まり込むとともに、前記上内装管基体４１ａの突起４９が、上内装管副体４１ｂの回動用溝６１内に嵌まり込むことで、上内装管基体４１ａ及び上内装管副体４１ｂが一体となって形成される。この際に、前記突起４９が回動用溝６１に嵌まりこんでいることから、上内装管基体４１ａに対して上内装管副体４１ｂは上下動しないが、回動することは可能となる。尚、突起４９は、副体円板部６３の上端側に形成される突起挿入口６９から回動用溝６１内へ案内して、副体円板部６３を僅かに回転させることで、当該回動用溝６１に嵌め込み、又は取外しできる構成としている。
【００２１】
そして、当該上内装環基体４１ａと上内装管副体４１ｂとを取付けた状態においては、第一下網目部６４ａと第二下網目部６４ｂとが同じ高さとなり、外部と排水路３４ａとが、前記第一下網目部６４ａ及び第二下網目部６４ｂを介して連通した状態となる。即ち、上内装管４０における排水経路は、上網目部４３から排水路３４ａに至る経路と、第二下網目部６４ｂ、第一下網目部６４ａを連通して排水路３４ａに至る経路のニ経路となる。
【００２２】
次に、下内装管４２は、前記図２に示すように、上内装管４１の上排水管３４ｂが嵌合する筒状の隔壁４７を形成したことにより、隔壁４７の内側を排水路３４ａ、隔壁４７の外側に給水路５０ａを形成した二重管構造を有し、長手方向中程において給水路５０ａを側方へ変更して、外周に取付けられた外部給水管５０内へ連結するものとし、当該長手方向中程から、方向を変更せずに、排水路３４ａを、外部排水管３４へ連結する構成としている。また、前記隔壁４７の内側には、前記上排水管３４ｂにおける係止用ガイド部４４と係脱可能な係止爪４６を突設している。
【００２３】
また図６に示すように、下内装管４２の上端側には、上板４２ａの円周上の四箇所に配列し外方に開口する給水ブロック６６を設けている。該給水ブロック６６は、上板４２ａに形成した給水孔を囲うように外方を除く三方向にわたって立設される給水用上面仕切壁６６ａと、該給水用上面仕切壁６６ａの上に跨る給水用上面仕切壁６６ｂとによって、下方の給水路５０ａから外方に通じる開口部を形成し、更に開口部には給水用網目部６５を設け、形成したものである。
【００２４】
上記構成によって、上内装管４１における上排水管３４ｂを、下内装管４２の筒状の隔壁４７内に差込み、前記上排水管３４ｂの下端の係止用ガイド部４４に隔壁４７内の係止爪４６を案内し、当該上内装管４１を僅かに回転させることで、係止用ガイド部４４と係止爪４６とが係止状態となり、下内装杆４２上部の円周上に四箇所における隣り合う給水ブロック６６間に、上内装管における第二下網目部を備えた排水ブロック６７が嵌まり込む構成となる。ここで、給水ブロック６６間に排水ブロック６７が確実に嵌り込むようにするために、予め、上内装管副体４１ｂを上内装管基体４１ａに対して回動させることで、調節することができる。
【００２５】
一方、操作板８の中央部に縦孔１１に沿って移動可能に設けた操作摘み１２は、図２に示すように、摘み基部２０と一体に取付けられており、この摘み基部２０の下部には腕状の押圧部２１を設けるとともに、摘み基部の下方には作動軸２２を軸着している。当該作動軸２２の上部は、当該作動軸２２をガイドする案内筒２３を取付け、更に作動軸２２の下部は、炊飯ボックス１内に設けた軸止３８で固定支持されている。
【００２６】
この案内筒２３と軸止３８間の作動軸２２の下方に作動腕杆２４の一端を軸支し、作動腕杆２４の他端は作動係止部５６に接当させ、操作摘み１２の上下動により、作動軸２２と連動して作動腕杆２４、及び、内装管４０が上下動するように装着しており、また、前記摘み基部２０に設けた押圧部２１は、操作用摘み１２が初期位置、即ち、縦穴の下端位置にある場合には、炊飯ボックス１内にある切替スイッチ２８を押圧する位置にあり、また、操作用摘み１２が縦穴の上端位置にあるときは、炊飯ボックス１内にあるソレノイド２７と当設する位置となる。また、作動腕杆２４は下方への付勢手段であるコイルバネ６２によって、下方へ常に付勢されている。
【００２７】
更に、操作用摘み１２が縦穴の上端に位置する際には、ソレノイド２７の当杆２６と操作用摘み１２が嵌合係止する。また、前記内装管４０の上下動における上限位置は、図７に示すように下内装管４０の給水用網目部６５が釜体３の底面から突出する位置であり、下限位置は、前記図２に示すように上内装間４１の上端面が釜体３の底面と同一の高さとなる位置である。
【００２８】
次に、本発明の実施例に係る自動洗米炊飯器の使用方法について、洗米時、洗浄時に分けて説明する。
【００２９】
先ず、洗米時においては、電源投入された炊飯ボックス１の釜体３に所要量の米を投入して蓋２をし、操作板８における操作摘み１２を縦穴１１に沿って上端まで引き上げて操作摘み１２を押し込むとともに、操作板８の釜回転スイッチ１５を押す。
【００３０】
操作摘み１２の押し込みによって、操作摘み１２が摘み基部２０でソレノイド２７の当杆２６を押圧し、その位置で操作摘み１２を係止させ、操作摘み１２の上昇によって、連動する作動腕杆２４、作動係止部５６、内装管４０の夫々が上昇し、上網目部４３、第二下網目部６４ｂ及び給水網目部６５が釜体３内において、釜体３の内部底面から突出することとなる。
【００３１】
次に釜体３に入れた米の量に応じて炊飯用水量タイマースイッチ１０及び洗米用スイッチ９を回して洗米量に応じて目盛をセットし、炊飯用点火スイッチ１０を入れておくと、洗米用スイッチ９のタイマーが切替スイッチ２８と作動するとともに、排水電磁弁３５及び給水電磁弁５８が開いて排水及び給水可能な状態となる。
【００３２】
外部給水管５０から給水電磁弁５８、下内装管４２内の給水路５０ａを通じて給水用網目部６５から釜体３内にシャワー状に水を噴射し、洗米を行なう。
【００３３】
釜体３内に給水された使用後の汚水は、上網目部４３から排水路３４ａに至る経路及び第二下網目部６４ｂから第一下網目部６４ａを介して排水路３４ａ、外部排水管３４に至る経路によって排水され、排水本管３６から外部へ排出される。このとき、米は、内装管４０の上網目部４３、第二下網目部６４、給水用網目部６５が、米粒より細かいため釜体３内に残留する。この状態で、洗浄水の水圧によって洗米され、同時に排水され、前記図１に示すごとく、洗米用タイマースイッチ９によりセットした一定時間洗米され、洗米用スイッチ９のダイヤルが０点に戻り、排水電磁弁３５及び給水電磁弁５８が閉じ、洗米のための給水が止まり、釜体の回転が停止し、釜体３の中の米だけが残留し、使用した水は全て排水されることで、洗米作業が終了する。
【００３４】
炊飯時においては、前記した洗米用スイッチ９のダイヤルが０点となると、炊飯用タイマースイッチ１０が作動し、給水電磁弁５８が開き、釜体３内に炊飯に必要な所要量の水が、釜体３に供給される。
【００３５】
所定時間が経過すると炊飯用タイマースイッチ１０のダイヤル目盛が０点となり、給水電磁弁５８が閉じて炊飯用の給水が止まり、同時に、突出していたソレノイドの当杆２６が後退し、当該当杆２６と摘み基部１２との嵌合係止が解除され、作動腕杆２４に配設した下方への付勢手段であるコイルバネの引張力により、当該作動腕杆２４、作動軸２２、内装管４０等が下限まで下降する。
操作摘み１２が元の位置に戻ると、当該操作摘み１２に連設された押圧部２１により切替スイッチ２８が押圧され、給水用スイッチ１３及び排水用スイッチ１４の電源が切れた状態となる。
次に、点火装置３３によりガスバーナ３２に点火されると、炊飯が開始され、炊飯用タイマースイッチ１０のダイヤルで予め設定した所定時間経過後、自動的にガスが止まり、炊飯が終了する。
【００３６】
また、炊飯後の洗浄時においては、先ず、操作板８における操作摘み１２を縦穴１１に沿って上端まで引き上げて操作摘み１２を押し込むことにより、内装管４０を釜体３内に突出させる。次いで、内装管４０の上内装管４１を僅かに回転させて、当該上内装管４１の係止用ガイド部４４と下内装管４２の係合爪４６とを脱着し、下内装管４２から上内装管４１を取外し、操作板８の給水用スイッチ１３、排水用スイッチ１４、及び釜体回転スイッチ１５を押すことにより、釜体３内に給水を行ない洗浄する。
【００３７】
この際に、上内装管４１の第一下網目部６４ａ及び第二下網目部６４ｂが、下内装管４２から取外されることから、排水路３４ａが網目を介さない状態で開口し、網目を通らない大きさの汚物等（例えば、焦げや炊飯によって生成する薄膜状の残さ物等）を排水管３４に流すことができる。釜体回転スイッチ１５は再度押すことにより、釜体３の回転を停止させることができ、必要に応じて釜体回転スイッチ１５を押すことで、回転、停止を繰り返すことができる。
【００３８】
洗浄が終了すると、給水用スイッチ１３を押して給水電磁弁５８を停止させ、上内装管４１を、取外し時と逆手順で取付け、操作用摘み１２を下降させて元の位置に戻すと、操作摘み１２に連設された押圧部２１により切替スイッチ２８が押圧され、給水用スイッチ１３及び排水用スイッチ１４の電源が切れた状態となる。
【００３９】
尚、本発明においては、上記実施例に開示した上側網目部４３、第一下側網目部６４ａ、第二下側網目部６４ｂ、給水用網目部６５のいずれについても、当該網目に代えて、スリットを用いることもできる。
【００４０】
また本実施例においては、給水ブロック６６を、上板４２ａに形成した給水孔を囲うように外方を除く三方向にわたって立設される給水用上面仕切壁６６ａと、該給水用上面仕切壁６６ａの上に跨る給水用上面仕切壁６６ｂとによって、下方の給水路５０ａから外方に通じる開口部を形成し、更に開口部には給水用網目部６５を設けた構成とし、また、排水ブロックを、該副体円板部６３の下面縁部の前後左右四箇所において、金属網部材からなる第二下網目部６４ｂを配設するとともに、前記第二下網目部６４ｂに当接するように排水用側面仕切壁６７ａ、及び排水用下面仕切壁６７ｂを設けて構成することで、単なる給排水手段として機能するだけでなく、内装管４０の芯振れ、ひいては釜体３の回動における芯振れを防止するとともに、内装管４０の強度を確保することができる。
【００４１】
更に、回転駒７５は、長手中央に凹部７５ｂを形成し、ガイドレール７７の山形の先端部７７ａが当該回転駒７５の凹部７５ｂに当接することによって、釜掛け７６における回動時の振れを防止することができる。
【図面の簡単な説明】
【００４２】
【図１】本発明の実施例に係る自動洗米炊飯器の外観図である。
【図２】本発明の実施例に係る自動洗米炊飯器の内部構造を示すＡ−Ａ断面図である。
【図３】本発明の実施例に係る自動洗米炊飯器の釜体回転機構の一部拡大説明図である。
【図４】本発明の実施例に係る自動洗米炊飯器の釜体回転機構を示す一部省略した平面図である。
【図５】本発明の実施例に係る自動洗米炊飯器の内装管を示す説明図である。
【図６】本発明の実施例に係る自動洗米炊飯器の内装管を示す斜視図である。
【図７】本発明の実施例に係る自動洗米炊飯器において操作摘み、内装管の上昇状態を示すＡ−Ａ断面図である。
【符号の説明】
【００４３】
１      炊飯ボックス
１０    炊飯用タイマースイッチ
１１    縦穴
１２    操作摘み
１３    給水用スイッチ
１４    排水用スイッチ
１５    釜体回転スイッチ
２      蓋
２０    摘み基部
２１    押圧部
２２    作動軸
２３    案内筒
２４    作動腕杆
２６    当杆
２７    ソレノイド
２８    切替スイッチ
３      釜体
３０    底中央穴
３１    釜下管
３２    ガスバーナ
３３    点火装置
３４    外部排水管
３４ａ  排水路
３４ｂ  上排水管
３５    排水電磁弁
３６    排水本管
３７    中央穴
３８    軸止
３９ａ  釜体基体
３９ｂ  鍔体
４      受け部
４０    内装管
４１    上内装管
４１ａ  上内装管基体
４１ｂ  上内装管副体
４２    下内装管
４２ａ  上板
４３    上網目部
４４    係止用ガイド部
４６    係止爪
４７    隔壁
４８    中空円柱状部材
４９    突起
５０    給水管
５０ａ  給水路
５６    作動係止部
５７    給水ホース
５８    給水電磁弁
５９    電源用スイッチ
６      ガス供給口
６０    炊飯用点火スイッチ
６１    回動用溝
６２    コイルバネ
６３    副体円板部
６４    下網目部
６４ａ  第一下網目部
６４ｂ  第二下網目部
６５    給水用網目部
６６    給水ブロック
６６ａ  給水用側面仕切壁
６６ｂ  給水用上面仕切壁
６７    排水ブロック
６７ａ  排水用側面仕切壁
６７ｂ  排水用下面仕切壁
６８    中央穴
６９    突起挿入口
７      電源用プラグ
７０    鍔状レール
７１    釜掛けガイド体
７２    モータ
７３    歯車
７５    回転駒
７５ａ  支持部
７５ｂ  凹部
７５ｃ  軸
７６    釜掛け
７７    環状レール
７７ａ  先端部
７８    ガス台
７９    回転歯車
８    操作板
９    洗米用タイマースイッチ
【図１】
2005058339.tif 000003
【図２】
2005058339.tif 000004
【図３】
2005058339.tif 000005
【図４】
2005058339.tif 000006
【図５】
2005058339.tif 000007
【図６】
2005058339.tif 000008
【図７】
2005058339.tif 000009